(57)【要約】【課題】  衛星放送混合回路内蔵のアクティブアンテナに対応可能で、１本の高周波伝送ケーブルで使用でき、安価に供給することが可能なアクティブアンテナ用分波装置を提供する。【解決手段】  入力端子（１０ａ）と衛星放送出力端子（１０ｂ）との間に通電機能を有するアクティブアンテナ用分波器（１０）と、分波器用ＡＣアダプタ（２０）とからなり、分波器用ＡＣアダプタ（２０）に備えたＦ形ＤＣ出力端子（２０ａ）は、Ｆ形プラグおよびＦ形ジャックのうちの１つの形状を有する衛星放送出力端子（１０ｂ）に接続可能な形状である。さらに、衛星放送出力端子（１０ｂ）に接続したときに終端として働く回路をＦ形ＤＣ出力端子（２０ａ）が内蔵する。また、衛星放送出力端子（１０ｂ）に第１の誤接続防止機構を備え、第１の誤接続防止機構を備えていないＦ形プラグおよびＦ形ジャックのうちの１つの形状には接続できず、かつ、衛星放送出力端子（１０ｂ）には接続可能であるように、Ｆ形ＤＣ出力端子（２０ａ）に第２の誤接続防止機構を備える。【選択図】  図１
2005341362.tif 000002
【特許請求の範囲】
【請求項１】
Ｆ形プラグおよびＦ形ジャックのうちの１つの形状をそれぞれ有する入力端子、地上波テレビ出力端子および衛星放送出力端子を備え、入力端子と衛星放送出力端子との間に通電機能を有するアクティブアンテナ用分波器と、分波器用ＡＣアダプタとからなる分波装置であり、前記分波器用ＡＣアダプタは、Ｆ形ＤＣ出力端子を備え、該Ｆ形ＤＣ出力端子は、前記衛星放送出力端子に接続可能な形状であることを特徴とする分波装置。
【請求項２】
前記分波器の衛星放送出力端子に接続したときに終端として働く回路を前記Ｆ形ＤＣ出力端子が内蔵することを特徴とする請求項１に記載の分波装置。
【請求項３】
前記分波器は、前記衛星放送出力端子に第１の誤接続防止機構を備え、前記分波器用ＡＣアダプタは、前記第１の誤接続防止機構を備えていないＦ形プラグおよびＦ形ジャックのうちの１つの形状には接続できず、かつ、前記衛星放送出力端子には接続可能であるように、該Ｆ形ＤＣ出力端子に第２の誤接続防止機構を備えることを特徴とする請求項１または２に記載の分波装置。
【請求項４】
Ｆ形プラグおよびＦ形ジャックのうちの１つの形状をそれぞれ有する入力端子、地上波テレビ出力端子および衛星放送出力端子を備え、入力端子と衛星放送出力端子との間に通電機能を有するアクティブアンテナ用分波器と、ＤＣプラグを備えたＡＣアダプタと、該ＤＣプラグが接続可能なＤＣジャックを備えたＦ形−ＤＣジャック変換コネクタとからなる分波装置であり、前記Ｆ形−ＤＣジャック変換コネクタが、前記衛星放送出力端子に接続可能な形状であるＦ形端子を備えることを特徴とする分波装置。
【請求項５】
前記分波器の衛星放送出力端子に接続したときに終端として働く回路を前記Ｆ形端子が内蔵することを特徴とする請求項４に記載の分波装置。
【請求項６】
前記分波器は、前記衛星放送出力端子に第１の誤接続防止機構を備え、前記Ｆ形−ＤＣジャック変換コネクタは、前記第１の誤接続防止機構を備えていないＦ形プラグおよびＦ形ジャックのうちの１つの形状には接続できず、かつ、前記衛星放送出力端子には接続可能であるように、前記Ｆ形端子に第２の誤接続防止機構を備えることを特徴とする請求項４または５に記載の分波装置。
【発明の詳細な説明】
【技術分野】
【０００１】
本発明は、アクティブアンテナ用分波装置に関する。
【背景技術】
【０００２】
従来より、増幅器を内蔵したアクティブアンテナに、電源を供給する方法の１つとして、高周波伝送ケーブルに電源出力を重畳させる方法があるが、電源出力を重畳させるためのパワーインサータが必要となる。
【０００３】
図１２に、テレビ受信機にアクティブアンテナを接続する従来の構成図を示す。
【０００４】
アクティブアンテナ（１）の増幅器を動作させる電源は、ＡＣアダプタ（２１）のＤＣプラグ（２１ａ）から、パワーインサータ（２３）のＤＣジャック（２３ａ）を経由して、高周波伝送ケーブル（５）を介し、アクティブアンテナ（１）の出力端子（１ａ）に供給され、地上波テレビ信号は、アクティブアンテナ（１）の出力端子（１ａ）から、高周波伝送ケーブル（５）を介し、パワーインサータ（２３）を経由して、さらに、高周波伝送ケーブル（５）を介し、テレビ受信機（２）に送られる。
【０００５】
これに対して、アクティブアンテナ内に衛星放送混合回路が付加されている場合、衛星放送受信機（ＳＴＢ）に接続するための分波器が必要となり、この場合には、衛星放送受信機（ＳＴＢ）から分波器を経由して供給されるコンバータ用電源出力を利用することが可能となる。
【０００６】
図１３に、衛星放送混合回路内蔵のアクティブアンテナをテレビ受信機に接続する従来の構成図を示す。
【０００７】
衛星放送受信アンテナ（４）のコンバータ用電源は、衛星放送受信機（３）から、高周波伝送ケーブル（５）、分波器（１２）、アクティブアンテナ（１）および高周波伝送ケーブル（５）を経由して、衛星放送受信アンテナ（４）のコンバータに送られ、アクティブアンテナ（１）の増幅器を動作させる電源も、衛星放送受信機（３）から供給される。衛星放送信号は、アクティブアンテナ（１）に内蔵された衛星放送混合回路で、地上波テレビ信号と混合され、アクティブアンテナ（１）の出力端子（１ａ）から、高周波伝送ケーブル（５）を介し、分波器（１２）の入力端子（１２ａ）に送られ、分波器（１２）において、衛星放送信号と地上波テレビ信号に分波され、衛星放送出力端子（１２ｂ）から高周波伝送ケーブル（５）を介して、衛星放送受信機（３）の衛星放送入力端子（３ｂ）に供給されて、衛星放送受信機（３）からテレビ受信機（２）に送られる。また、地上波テレビ信号は、分波器（１２）の地上波テレビ出力端子（１２ｃ）から高周波伝送ケーブル（５）を介し、衛星放送受信機（３）の地上波テレビ入力端子（３ａ）に供給され，さらに衛星放送受信機（３）からテレビ受信機（２）に送られる。なお、分波器（１２）には、入力端子（１２ａ）と衛星放送出力端子（１２ｂ）との間を、電源重畳可能な通電回路を構成している。
【０００８】
このように、アクティブアンテナ（１）内に衛星放送混合回路が付加されていない場合や、該衛星放送混合回路を有していても、衛星放送受信アンテナ（４）を使用しない場合には、分波器（１２）は必要とならないため、パワーインサータ（２３）およびＡＣアダプタ（２１）を用いて電源を供給する。一方、アクティブアンテナ（１）内に衛星放送混合回路が付加されていて、衛星放送受信アンテナ（４）を接続する場合には、例えば特開２０００−３２２９３号公報に記載されたような分波器（１２）を使用して電源を供給するため、パワーインサータ（２３）およびＡＣアダプタ（２１）は不要となる。
【０００９】
いずれの環境でユーザがアクティブアンテナ（１）を使用するかは不明であるため、アクティブアンテナ（１）の供給者は、分波器（１２）、パワーインサータ（２３）およびＡＣアダプタ（２１）のいずれも準備しなければならないという無駄のために、経済的な損失を生じていた。
【００１０】
【特許文献１】特開２０００−３２２９３号公報
【発明の開示】
【発明が解決しようとする課題】
【００１１】
本発明は、衛星放送混合回路内蔵のアクティブアンテナに対応可能で、１本の高周波伝送ケーブルで使用でき、安価に供給することが可能なアクティブアンテナ用分波装置を提供することを目的とする。
【課題を解決するための手段】
【００１２】
本発明のアクティブアンテナ用分波装置の一態様では、Ｆ形プラグおよびＦ形ジャックのうちの１つの形状をそれぞれ有する入力端子、地上波テレビ出力端子および衛星放送出力端子を備え、入力端子と衛星放送出力端子との間に通電機能を有するアクティブアンテナ用分波器と、分波器用ＡＣアダプタとからなり、前記分波器用ＡＣアダプタは、Ｆ形ＤＣ出力端子を備え、該Ｆ形ＤＣ出力端子は、前記衛星放送出力端子に接続可能な形状である。
【００１３】
さらに、前記分波器の衛星放送出力端子に接続したときに終端として働く回路を前記Ｆ形ＤＣ出力端子が内蔵することが望ましい。
【００１４】
また、前記分波器は、前記衛星放送出力端子に第１の誤接続防止機構を備え、前記分波器用ＡＣアダプタは、前記第１の誤接続防止機構を備えていないＦ形プラグおよびＦ形ジャックのうちの１つの形状には接続できず、かつ、前記衛星放送出力端子には接続可能であるように、該Ｆ形ＤＣ出力端子に第２の誤接続防止機構を備えることが望ましい。
【００１５】
本発明のアクティブアンテナ用分波装置の異なる態様では、Ｆ形プラグおよびＦ形ジャックのうちの１つの形状をそれぞれ有する入力端子、地上波テレビ出力端子および衛星放送出力端子を備え、入力端子と衛星放送出力端子との間に通電機能を有するアクティブアンテナ用分波器と、ＤＣプラグを備えたＡＣアダプタと、該ＤＣプラグが接続可能なＤＣジャックを備えたＦ形−ＤＣジャック変換コネクタとからなり、前記Ｆ形−ＤＣジャック変換コネクタが、前記衛星放送出力端子に接続可能な形状であるＦ形端子を備える。
【００１６】
さらに、前記分波器の衛星放送出力端子に接続したときに終端として働く回路を前記Ｆ形端子が内蔵することが望ましい。
【００１７】
また、前記分波器は、前記衛星放送出力端子に第１の誤接続防止機構を備え、前記Ｆ形−ＤＣジャック変換コネクタは、前記第１の誤接続防止機構を備えていないＦ形プラグおよびＦ形ジャックのうちの１つの形状には接続できず、かつ、前記衛星放送出力端子には接続可能であるように、前記Ｆ形端子に第２の誤接続防止機構を備えることが望ましい。
【発明の効果】
【００１８】
本発明により、従来、衛星放送受信アンテナを設置している場合に、既設の高周波伝送ケーブルを使用して、容易にアクティブアンテナを追加して設置することが可能となった。
【００１９】
また、アクティブアンテナを単独で使用する際にも、パワーインサータが不要となり、機器の無駄を少なくすることが可能で、供給者においてコストダウンが得られた。
【００２０】
さらに、この場合、ＡＣアダプタのＦ形ＤＣ出力端子に終端回路を付加したり、Ｆ形−ＤＣジャック変換コネクタのＦ形端子に終端回路を付加することにより、分波器の高周波特性に影響を与えずに、電源の供給が可能となった。
【発明を実施するための最良の形態】
【００２１】
図１に、本発明のアクティブアンテナ用分波装置の一実施例を使用して、テレビ受信機にアクティブアンテナを接続する構成図を示した。
【００２２】
アクティブアンテナ（１）に内蔵された増幅器を動作させるのに必要な電源は、ＡＣアダプタ（２０）のＦ形接栓形状であるＦ形ＤＣ出力端子（２０ａ）から、接続する分波器（１０）の衛星放送出力端子（１０ｂ）、分波器（１０）の入力端子（１０ａ）を経由して、高周波伝送ケーブル（５）を介し、アクティブアンテナ（１）の出力端子（１ａ）に送られ、アクティブアンテナ（１）で受信され増幅された地上波テレビ信号は、アクティブアンテナ（１）の出力端子（１ａ）から、高周波伝送ケーブル（５）を介し、分波器（１０）の入力端子（１０ａ）、分波器（１０）の地上波テレビ出力端子（１０ｃ）を経由して、高周波伝送ケーブル（５）を介し、テレビ受信機（２）に送られる。
【００２３】
アクティブアンテナ（１）は、図３に回路図を示したように、出力端子（１ａ）と衛星放送入力端子（１ｂ）の間に、衛星放送混合回路を備える。
【００２４】
分波器（１０）は、図４に斜視図を示したように、Ｆ形コネクタであるＦ形プラグおよびＦ形ジャックのうちの１つの形状、例えば図示した例ではＦ形ジャックである入力端子（１０ａ）、地上波テレビ出力端子（１０ｃ）および衛星放送出力端子（１０ｂ）を備える。入力端子（１０ａ）と衛星放送出力端子（１０ｂ）との間には、通電機能を有する回路構成である。衛星放送出力端子（１０ｂ）には、例えば図示したような第１の誤接続防止機構（１０ｄ）を備える。誤接続防止機構（１０ｄ）は、例えば図示したような２条の溝でよい。
【００２５】
分波器用ＡＣアダプタ（２０）は、図５に示したように、例えば図示した例ではＦ形プラグ形状であるＦ形ＤＣ出力端子（２０ａ）を備え、Ｆ形ＤＣ出力端子（２０ａ）は、前記衛星放送出力端子（１０ｂ）に接続可能である。すなわち、Ｆ形ＤＣ出力端子（２０ａ）には、衛星放送出力端子（１０ｂ）に備えた第１の誤接続防止機構（１０ｄ）に対応する第２の誤接続防止機構（２０ｂ）を備える。第２の誤接続防止機構（２０ｂ）は、例えば図示したように挿入端に突出した突起でよい。従って、分波器用ＡＣアダプタ（２０）は、Ｆ形ＤＣ出力端子（２０ａ）の形状に対応しても、対応する誤接続防止機構を備えていないＦ形プラグおよびＦ形ジャックのうちの１つの形状（すなわち、地上波テレビ出力端子（１０ｃ）など）には接続できないが、衛星放送出力端子（１０ｂ）には接続可能である。
【００２６】
さらに、図６にＦ形ＤＣ出力端子（２０ａ）の回路図を示したように、分波器（１０）に接続したときに終端として働く回路を、該Ｆ形ＤＣ出力端子（２０ａ）に内蔵する。
【００２７】
このような終端回路を付加することにより、分波器（１０）の高周波特性に影響を与えずに、分波器用ＡＣアダプタ（２０）を使用してアクティブアンテナへ電源を供給することが可能となる。
【００２８】
図２に、前述の本発明のアクティブアンテナ用分波装置の一実施例を使用して、衛星放送を混合して接続する構成図を示した。
【００２９】
衛星放送受信アンテナ（４）のコンバータ電源は、衛星放送受信機（３）から、高周波伝送ケーブル（５）、分波器（１０）の衛星放送出力端子（１０ｂ）、入力端子（１０ａ）、高周波伝送ケーブル（５）およびアクティブアンテナ（１）の出力端子（１ａ）および衛星放送入力端子（１ｂ）を経由して、衛星放送受信アンテナ（４）のコンバータに送られ、アクティブアンテナ（１）の増幅器を動作させるのに必要な電源も、衛星放送受信機（３）から供給される。衛星放送信号は、アクティブアンテナ（１）に内蔵された衛星放送混合回路で、地上波テレビ信号と混合され、アクティブアンテナ（１）から、高周波伝送ケーブル（５）を介し、分波器（１０）の入力端子（１０ａ）に送られ、分波器（１０）において、衛星放送信号と地上波テレビ信号に分波され、分波器（１０）の各々の出力端子（１０ｂ）、（１０ｃ）から、各々、高周波伝送ケーブルを介し、対応する衛星放送受信機（３）の各々の入力端子に供給され、衛星放送受信機（３）およびテレビ受信機（２）に送られる。
【００３０】
図１および図２に示したように、アクティブアンテナの衛星放送混合回路により、地上波テレビ信号と衛星放送信号が混合され出力される場合においても、地上波テレビ信号のみを受信し出力する場合においても、アクティブアンテナの増幅器に動作電源を供給する際、同一の分波器を使用し、地上波テレビ信号のみを受信し、分波器を介して、テレビ受信機に地上波テレビ信号のみを送る場合は、別にパワーインサータを準備する必要はなく、専用の分波器用ＡＣアダプタを用いるだけでよい。
【００３１】
図７に、図４とは異なる分波器を斜視図で示し、図８に、図５とは異なる分波器用ＡＣアダプタを斜視図で示した。図示した分波器（１１）は、地上波テレビ出力端子（１１ｃ）および衛星放送出力端子（１１ｂ）が、それぞれケーブル付きＦ形プラグ形状であり、分波器用ＡＣアダプタ（２２）は、Ｆ形ＤＣ出力端子（２２ａ）が、ケーブル付きＦ形ジャック形状である以外は、前述の分波器（１０）および分波器用ＡＣアダプタ（２０）と同様である。このように、各端子はＦ形プラグおよびＦ形ジャックのうちの１つの形状であればよい。
【００３２】
図９に、本発明のアクティブアンテナ用電源供給装置の異なる一実施例を使用して、テレビ受信機にアクティブアンテナを接続する構成図を示した。分波器用ＡＣアダプタ（２０）に代えて、分波器用ＡＣアダプタ（２１）およびＦ形プラグ−ＤＣジャック変換コネクタ（３０）を使用した以外は、図１に示した実施例と同様である。
【００３３】
図１０に斜視図を示し、図１１に回路図を示したように、Ｆ形プラグ−ＤＣジャック変換コネクタ（３０）は、ＡＣアダプタ（２１）のＤＣプラグ（２１ａ）が接続可能なＤＣジャック（３０ｂ）と、衛星放送出力端子（１０ｂ）に接続可能で、Ｆ形プラグであるＦ形端子（３０ａ）を備える。さらに、分波器（１０）に接続したときに終端として働く回路を、図示したようにＦ形端子（３０ａ）に内蔵する。
【００３４】
以上のように、本発明により、パワーインサータが不要となり、機器の無駄を少なくすることが可能で、供給者においてコストダウンが得られ、ユーザーにとっても使い勝手がよくなった。
【図面の簡単な説明】
【００３５】
【図１】本発明のアクティブアンテナ用分波装置の一実施例を使用して、テレビ受信機にアクティブアンテナを接続する構成図である。
【図２】本発明のアクティブアンテナ用分波装置の一実施例を使用して、衛星放送を混合して接続する構成図である。
【図３】図１および図２で使用したアクティブアンテナの一例を示す回路図である。
【図４】図１および図２で使用した分波器の一実施例を示す斜視図である。
【図５】図１および図２で使用した分波器用ＡＣアダプタの一実施例を示す斜視図である。
【図６】図１および図２で使用した分波器用ＡＣアダプタの一実施例を示す回路図である。
【図７】本発明の分波器の異なる実施例を示す斜視図である。
【図８】本発明の分波器用ＡＣアダプタの異なる実施例を示す斜視図である。
【図９】本発明のアクティブアンテナ用分波装置の異なる一実施例を使用して、テレビ受信機にアクティブアンテナを接続する構成図である。
【図１０】本発明のＦ形−ＤＣジャック変換コネクタの一実施例を示す斜視図である。
【図１１】本発明のＦ形−ＤＣジャック変換コネクタの一実施例を示す回路図である。
【図１２】従来技術により、テレビ受信機にアクティブアンテナを接続する構成図である。
【図１３】従来技術により、衛星放送混合回路内蔵のアクティブアンテナをテレビ受信機に接続する構成図である。
【符号の説明】
【００３６】
１  アクティブアンテナ
１ａ  出力端子
１ｂ  衛星放送入力端子
２  テレビ受信機
３  衛星放送受信機
３ａ  地上波テレビ入力端子
３ｂ  衛星放送入力端子
４  衛星放送受信アンテナ
５  高周波伝送ケーブル
１０、１１、１２  分波器
１０ａ、１１ａ、１２ａ  入力端子
１０ｂ、１１ｂ、１２ｂ  衛星放送出力端子
１０ｃ、１１ｃ、１２ｃ  地上波テレビ出力端子
１０ｄ、１１ｄ  誤接続防止機構
２０、２１、２２  ＡＣアダプタ
２０ａ、２２ａ  ＤＣ出力端子
２０ｂ、２２ｂ  誤接続防止機構
２１ａ  ＤＣプラグ
２３  パワーインサータ
２３ａ  ＤＣジャック
３０  Ｆ形−ＤＣジャック変換コネクタ
３０ａ  Ｆ形端子
３０ｂ  ＤＣジャック
３０ｃ  誤接続防止機構
【図１】
2005341362.tif 000003
【図２】
2005341362.tif 000004
【図３】
2005341362.tif 000005
【図４】
2005341362.tif 000006
【図５】
2005341362.tif 000007
【図６】
2005341362.tif 000008
【図７】
2005341362.tif 000009
【図８】
2005341362.tif 000010
【図９】
2005341362.tif 000011
【図１０】
2005341362.tif 000012
【図１１】
2005341362.tif 000013
【図１２】
2005341362.tif 000014
【図１３】
2005341362.tif 000015